(57)【要約】【課題】原稿押さえカバーを開状態にして原稿を読み取る場合に、外乱光の影響を排除して、原稿サイズ検知を可能とし、オートクロッピングを効率よく行う。【解決手段】画像形成装置１において、ユーザーからリアルタイムスキャン動作の開始指示を受け付けると、第１の判別部１０４が判別した取得不可能領域に第１ミラーを移動させ、当該取得不可能領域に対するリアルタイムスキャン動作を読取部５に行わせる読取制御部１０２と、リアルタイムスキャン動作を取得不可能領域で読取部５が行った場合に、当該取得不可能領域で原稿のサイズを原稿サイズ取得部１０３が取得可能かを判別する第２の判別部１０６と、第２の判別部１０６が取得不可能領域で原稿のサイズを原稿サイズ取得部１０３が取得できないと判別した場合に、ユーザーに対して対応動作の実行を促す表示を表示部４７３に行わせる表示制御部１０５とを備える。【選択図】図１０
2019029854.tif 000002
【特許請求の範囲】
【請求項１】
透光性を有し、原稿が載置される原稿台と、
装置本体に開閉自在に設けられ、閉状態で前記原稿台に載置された原稿を押さえる原稿押さえカバーと、
前記原稿台に載置された原稿に照射した読取光の反射光を受光するイメージセンサーと、前記反射光を前記原稿台側から当該イメージセンサーに入光させる入光部材が搭載されるとともに、予め定められた原稿読取方向に往復移動可能とされた移動機構と、を有し、前記原稿読取方向に前記移動機構が移動しながら前記原稿の画像を読み取る読取部と、
前記読取部の動作を制御する読取制御部と、
前記イメージセンサーの検出結果を用いることにより、前記原稿のサイズを取得する原稿サイズ取得部と、
前記原稿押さえカバーが開状態のときに、前記原稿台に原稿を載置していない状態でスキャンを行うプレスキャン動作を前記読取部が行った場合に、当該原稿台で原稿のサイズを前記原稿サイズ取得部が取得可能かどうかを判別するとともに、当該原稿のサイズを取得不可能と判別した場合には、前記原稿台における当該原稿のサイズの取得不可能な取得不可能領域を判別する第１の判別部と、
前記原稿押さえカバーが開状態のときに、前記第１の判別部によって判別された前記取得不可能領域でスキャンを行うリアルタイムスキャン動作を前記読取部が行った場合に、当該取得不可能領域で原稿のサイズを前記原稿サイズ取得部が取得可能かどうかを判別する第２の判別部と、
ユーザーからの操作指示を受け付ける操作受付部と、
表示部と、
前記表示部の動作を制御する表示制御部と、を備え、
前記読取制御部は、前記操作受付部により、前記原稿押さえカバーが開状態で前記原稿台に載置された原稿の画像を読み取るオープンスキャン処理の実行指示をユーザーから受け付けられたとき、前記プレスキャン動作を前記読取部に行わせ、
前記表示制御部は、前記第１の判別部が前記取得不可能領域を判別した場合に、当該取得不可能領域に対する前記リアルタイムスキャン動作を実行するか否かの選択を促す表示を前記表示部に行わせ、
前記読取制御部は、前記操作受付部がユーザーから前記リアルタイムスキャン動作の開始指示を受け付けると、前記第１の判別部が判別した前記取得不可能領域に前記入光部材を移動させて、当該取得不可能領域に対する前記リアルタイムスキャン動作を前記読取部に行わせ、
前記表示制御部は、前記第２の判別部が前記取得不可能領域で原稿のサイズを前記原稿サイズ取得部が取得することができないと判別した場合に、ユーザーに対して外乱光に関する予め定められた対応動作の実行を促す表示を前記表示部に行わせる、画像読取装置。
【請求項２】
前記表示制御部は、前記第１の判別部が前記取得不可能領域を判別した場合に、更にユーザーに対して前記対応動作の実行を促す表示を表示部に行わせる請求項１に記載の画像読取装置。
【請求項３】
前記第１の判別部は、前記プレスキャン動作が行われると、前記イメージセンサーの検出結果から、前記原稿台の全域に対応した全ての画素について、各画素の明るさを示す画素値を得るとともに、予め定められた第１の閾値以上の画素値を有する画素で構成される領域の大きさを検出し、検出した当該領域の大きさが予め定められた第１の大きさ以上であることを検出した場合には、当該検出した領域を前記取得不可能領域と判別し、前記原稿台で原稿のサイズを前記原稿サイズ取得部が取得することができないと判別する請求項１又は請求項２に記載の画像読取装置。
【請求項４】
前記読取制御部は、前記第１の判別部が前記取得不可能領域を判別した場合に、当該取得不可能領域に含まれた画素のうち、最も高い画素値を有する画素の位置に前記入光部材を移動させて、前記リアルタイムスキャン動作を前記読取部に行わせる請求項３に記載の画像読取装置。
【請求項５】
前記表示制御部は、前記第１の判別部が前記検出した領域を前記取得不可能領域と判別した場合に、当該取得不可能領域を前記表示部に表示させる請求項１乃至請求項４に記載の画像読取装置。
【請求項６】
前記表示制御部は、前記操作受付部がユーザーから前記リアルタイムスキャン動作を行わない旨の指示を受け付けると、再度の前記プレスキャン動作の実行を促す表示を前記表示部に行わせ、
前記読取制御部は、前記操作受付部がユーザーから前記再度のプレスキャン動作の開始指示を受け付けると、前記再度のプレスキャン動作を前記読取部に行わせる請求項１乃至請求項５のいずれかに記載の画像読取装置。
【請求項７】
前記表示制御部は、ユーザーに対して前記対応動作の実行を促す表示を前記表示部に行わせる際に、前記取得不可能領域に対する新たな前記リアルタイムスキャン動作の実行を促す表示を前記表示部に行わせ、
前記読取制御部は、前記操作受付部がユーザーから前記新たなリアルタイムスキャン動作の開始指示を受け付けると、前記取得不可能領域に対する前記新たなリアルタイムスキャン動作を前記読取部に行わせる請求項１乃至請求項６のいずれかに記載の画像読取装置。
【請求項８】
前記第２の判別部は、前記リアルタイムスキャン動作が行われると、前記イメージセンサーの検出結果から、前記取得不可能領域に対応した全ての画素について、各画素の明るさを示す画素値を得るとともに、予め定められた第２の閾値以上の画素値を有する画素で構成される領域の大きさを検出し、検出した当該領域の大きさが予め定められた第２の大きさ以上であることを検出した場合には、当該取得不可能領域で原稿のサイズを前記原稿サイズ取得部が取得することができないと判別する請求項１乃至請求項７のいずれかに記載の画像読取装置。
【請求項９】
前記表示制御部は、前記第２の判別部が前記取得不可能領域で原稿のサイズを前記原稿サイズ取得部が取得することができると判別した場合に、ユーザーに対して新たな前記プレスキャン動作の実行を促す表示を前記表示部に行わせ、
前記読取制御部は、前記操作受付部がユーザーから前記新たなプレスキャン動作の開始指示を受け付けると、前記新たなプレスキャン動作を前記読取部に行わせる請求項１乃至請求項８のいずれかに記載の画像読取装置。
【請求項１０】
前記対応動作は、本画像読取装置の位置を現在の位置から移動させること、又は本画像読取装置の上側の照明装置を消灯させることの少なくとも一方である請求項１乃至請求項９のいずれかに記載の画像読取装置。
【請求項１１】
請求項１乃至請求項１０のいずれかに記載の画像読取装置と、
前記読取部で読み取った画像を記録紙上に画像形成する画像形成部と、を備える画像形成装置。
【発明の詳細な説明】
【技術分野】
【０００１】
本発明は、画像読取装置及びこれを用いた画像形成装置に関し、特に、読取部でのカード等の原稿に対する読み取り動作の可否を判定する技術に関する。
【背景技術】
【０００２】
近年、例えば複合機等の画像形成装置に搭載されている画像読取装置では、原稿台に複数枚の名刺等のカードを載置した状態で読み取り動作を読取部に行わせることにより、これら複数枚のカードの画像データを一度に読み取るとともに、読み取った当該画像データからクロップ（切り出し）処理を行うことにより、各カードの画像データに整理することが知られている。また、このような多数のカードに対する読み取り動作では、ユーザーは、画像読取装置において、装置本体に開閉自在に設けられ、閉状態で上記原稿台に載置されたカード（原稿）を押さえる原稿押さえカバーを開状態にした状態で読み取り動作を行わせることにより、当該原稿押さえカバーを開閉する開閉作業の手間を省いて、多数の各カードの画像データを短時間で取得することがある。
【０００３】
ところで、上記クロップ処理では、読取部が備えるイメージセンサーがカードに照射した読取光の反射光を受光することにより、カードのエッジが読み取られ、更に当該カードのサイズが検出されて、一度に読み取った複数枚のカードを含む画像データから各カードの画像データが切り出される。
【０００４】
ところが、上記のように、画像読取装置において、原稿押さえカバーを開状態にした状態で読み取り動作を行わせた場合、例えば、原稿台の真上に設置された蛍光灯等の照明装置からの光が外乱光として上記イメージセンサーに入光することがあり、クロップ処理にてカードのサイズを正確に検出することができずに、原稿台に載置した全てのカードの各画像データを得ることができないことがあった。そこで、従来技術には、例えば下記特許文献１に示されるように、原稿台の原稿載置面の領域において、外乱光に起因してカードのサイズを検出することができない領域を除外して、カードのサイズを検出することができる領域に載置されたカードの画像データのみを取得する技術が提案されている。また、例えば下記特許文献２に示されるように、外乱光の大きさをサービスマンに知らせ、当該サービスマンが原稿押さえカバーの原稿台に対する角度を調整することにより、外乱光の影響を排除する技術が提案されている。
【先行技術文献】
【特許文献】
【０００５】
【特許文献１】特開２００１−３４６００９号公報
【特許文献２】特開２００９−１１１９０８号公報
【発明の概要】
【発明が解決しようとする課題】
【０００６】
しかしながら、上記特許文献１に示される技術では、原稿押さえカバーを開状態にして原稿を読み取る場合に、外乱光の影響を排除することができなかった。また、この従来技術では、原稿台の原稿載置面の領域において、原稿のサイズを検出することができる領域に載置された原稿の画像データのみを取得していたので、原稿の読み取り動作を効率よく行うことは困難であった。また、上記特許文献２に示される技術では、サービスマンの処置動作により、外乱光の影響を排除することは可能であるが、サービスマンに連絡して当該サービスマンによる処置動作の終了まで、原稿押さえカバーを開状態で外乱光を排除した原稿の読み取り動作を行うことは難しかった。
【０００７】
本発明は、上記の事情に鑑みなされたものであり、原稿押さえカバーを開状態にして原稿を読み取る場合に、外乱光の影響を排除して、原稿サイズ検知を可能とし、オートクロッピングを効率よく行うことを可能にすることを目的とする。
【課題を解決するための手段】
【０００８】
本発明の一局面に係る画像読取装置は、透光性を有し、原稿が載置される原稿台と、装置本体に開閉自在に設けられ、閉状態で前記原稿台に載置された原稿を押さえる原稿押さえカバーと、前記原稿台に載置された原稿に照射した読取光の反射光を受光するイメージセンサーと、前記反射光を前記原稿台側から当該イメージセンサーに入光させる入光部材が搭載されるとともに、予め定められた原稿読取方向に往復移動可能とされた移動機構と、を有し、前記原稿読取方向に前記移動機構が移動しながら前記原稿の画像を読み取る読取部と、前記読取部の動作を制御する読取制御部と、前記イメージセンサーの検出結果を用いることにより、前記原稿のサイズを取得する原稿サイズ取得部と、前記原稿押さえカバーが開状態のときに、前記原稿台に原稿を載置していない状態でスキャンを行うプレスキャン動作を前記読取部が行った場合に、当該原稿台で原稿のサイズを前記原稿サイズ取得部が取得可能かどうかを判別するとともに、当該原稿のサイズを取得不可能と判別した場合には、前記原稿台における当該原稿のサイズの取得不可能な取得不可能領域を判別する第１の判別部と、前記原稿押さえカバーが開状態のときに、前記第１の判別部によって判別された前記取得不可能領域でスキャンを行うリアルタイムスキャン動作を前記読取部が行った場合に、当該取得不可能領域で原稿のサイズを前記原稿サイズ取得部が取得可能かどうかを判別する第２の判別部と、ユーザーからの操作指示を受け付ける操作受付部と、表示部と、前記表示部の動作を制御する表示制御部と、を備え、前記読取制御部は、前記操作受付部により、前記原稿押さえカバーが開状態で前記原稿台に載置された原稿の画像を読み取るオープンスキャン処理の実行指示をユーザーから受け付けられたとき、前記プレスキャン動作を前記読取部に行わせ、前記表示制御部は、前記第１の判別部が前記取得不可能領域を判別した場合に、当該取得不可能領域に対する前記リアルタイムスキャン動作を実行するか否かの選択を促す表示を前記表示部に行わせ、前記読取制御部は、前記操作受付部がユーザーから前記リアルタイムスキャン動作の開始指示を受け付けると、前記第１の判別部が判別した前記取得不可能領域に前記入光部材を移動させて、当該取得不可能領域に対する前記リアルタイムスキャン動作を前記読取部に行わせ、前記表示制御部は、前記第２の判別部が前記取得不可能領域で原稿のサイズを前記原稿サイズ取得部が取得することができないと判別した場合に、ユーザーに対して外乱光に関する予め定められた対応動作の実行を促す表示を前記表示部に行わせるものである。
【０００９】
また、本発明の他の一局面に係る画像形成装置は、上記画像読取装置と、前記読取部で読み取った画像を記録紙上に画像形成する画像形成部と、を備えるものである。
【発明の効果】
【００１０】
本発明によれば、原稿押さえカバーを開状態にして原稿を読み取る場合に、外乱光の影響を排除して、原稿サイズ検知を可能とし、オートクロッピングを効率よく行うことを可能にすることができる。
【図面の簡単な説明】
【００１１】
【図１】本発明の第１の実施形態に係る画像形成装置の構造を示す正面断面図である。
【図２】上記第１の実施形態に係る画像形成装置の要部構成を示す機能ブロック図である。
【図３】読取部の概略構成を示す内部側面図である。
【図４】上記第１の実施形態に係る画像形成装置での処理の流れを示すフローチャートである。
【図５】表示部に表示される表示画面の一例を示した図である。
【図６】表示部に表示される表示画面の一例を示した図である。
【図７】表示部に表示される表示画面の一例を示した図である。
【図８】表示部に表示される表示画面の一例を示した図である。
【図９】表示部に表示される表示画面の一例を示した図である。
【図１０】本発明の第２の実施形態に係る画像形成装置の要部構成を示す機能ブロック図である。
【図１１】上記第２の実施形態に係る画像形成装置での処理の流れを示すフローチャートである。
【図１２】表示部に表示される表示画面の一例を示した図である。
【図１３】表示部に表示される表示画面の一例を示した図である。
【発明を実施するための形態】
【００１２】
以下、本発明の一実施形態に係る画像読取装置及びこれを備えた画像形成装置について図面を参照して説明する。
【００１３】
＜第１の実施形態＞
図１は、本発明の第１の実施形態に係る画像形成装置の構造を示す正面断面図である。図２は、上記第１の実施形態に係る画像形成装置の要部構成を示す機能ブロック図である。
【００１４】
図１において、本発明の第１の実施形態にかかる画像形成装置１は、例えば、コピー機能、プリンター機能、スキャナー機能、及びファクシミリ機能のような複数の機能を兼ね備えた複合機である。画像形成装置１は、装置本体２に、操作部４７、画像形成部１２０、定着部１３、給紙部１４、原稿給送部６、及び本発明の画像読取装置としての読取部５等を備えて構成されている。
【００１５】
また、画像形成装置１は、透光性を有し、原稿が載置される原稿台としてのコンタクトガラス１６１を備えている。そして、画像形成装置１では、装置本体２に開閉自在に設けられ、閉状態でコンタクトガラス１６１に載置された原稿を押さえる原稿押さえカバーとしての上記原稿給送部６について、閉状態、又は開状態とした状態で、原稿の読み取り動作を行う。つまり、画像形成装置１では、ユーザーは、原稿給送部６を閉状態とした場合で読取部５による原稿の読み取り動作を行わせるクローズドスキャン処理と、原稿給送部６を開状態とした場合で読取部５による原稿の読み取り動作を行わせるオープンスキャン処理とのいずれかのスキャン処理を選択して、原稿の画像を読み取らせる。また、この読取部５の読み取り動作によって生成された上記原稿の画像データは、後述の記憶部又はネットワーク接続されたコンピューター等に保存される。
【００１６】
画像形成装置１が画像形成動作を行う場合は、上記の読み取り動作により生成された画像データ、ネットワーク接続されたコンピューターやスマートフォン等のユーザー端末装置から受信した画像データ、又は記憶部に記憶されている画像データ等に基づいて、画像形成部１２０が、給紙部１４から給紙される記録媒体としての記録紙Ｐにトナー像を形成する。
【００１７】
画像形成部１２０の画像形成ユニット１２Ｍ、１２Ｃ、１２Ｙ、及び１２Ｂｋは、感光体ドラム１２２と、感光体ドラム１２２の表面に光を照射して、その表面を除電する照明装置と、感光体ドラム１２２の表面を均一に帯電させる帯電装置と、感光体ドラム１２２の表面を露光して、その表面に静電潜像を形成する露光装置（ＬＳＵ;Laser scanning units）と、感光体ドラム１２２の表面にトナーを供給して、静電潜像をトナー像に現像する現像装置と、トナーを収容するトナーカートリッジ（不図示）と、１次転写ローラー１２６と、をそれぞれ備えている。
【００１８】
カラー印刷を行う場合、画像形成部１２０のマゼンタ用の画像形成ユニット１２Ｍ、シアン用の画像形成ユニット１２Ｃ、イエロー用の画像形成ユニット１２Ｙ、及びブラック用の画像形成ユニット１２Ｂｋにおいては、感光体ドラム１２２の表面を一旦除電してから均一に帯電させ、感光体ドラム１２２の表面を露光して、その表面にカラーの色成分の画像に対応する静電潜像を形成し、感光体ドラム１２２の表面の静電潜像をその色成分のトナーにより現像して、感光体ドラム１２２上にトナー像を形成し、トナー像を１次転写ローラー１２６により、駆動ローラー１２５Ａ及び従動ローラー１２５Ｂに張架されている中間転写ベルト１２５上に転写させる。
【００１９】
中間転写ベルト１２５は、その外周面にトナー像が転写される像担持面が設定され、感光体ドラム１２２の周面に当接した状態で駆動ローラー１２５Ａによって駆動される。中間転写ベルト１２５は、各感光体ドラム１２２と同期しながら、駆動ローラー１２５Ａと従動ローラー１２５Ｂとの間を無端走行する。
【００２０】
中間転写ベルト１２５上に転写される各色成分のトナー画像は、転写タイミングを調整して中間転写ベルト１２５上で重ね合わされ、カラーのトナー像となる。２次転写ローラー２１０は、中間転写ベルト１２５の表面に形成されたカラーのトナー像を、中間転写ベルト１２５を挟んで駆動ローラー１２５Ａとのニップ部Ｎにおいて、給紙部１４から搬送路１９０を搬送されてきた記録紙Ｐに転写させる。この後、定着部１３が、記録紙Ｐ上のトナー像を熱圧着により記録紙Ｐに定着させる。定着処理の完了したカラー画像形成済みの記録紙Ｐは、排出トレイ１５１に排出される。
【００２１】
給紙部１４は、複数の給紙カセットを備える。制御部（不図示）は、操作者による指示で指定されたサイズの記録紙Ｐが収容された給紙カセットのピックアップローラー１４５を回転駆動させて、各給紙カセットに収容されている記録紙Ｐを上記ニップ部Ｎに向けて搬送させる。
【００２２】
ここで、図３を参照して、読取部５について具体的に説明する。図３は、読取部の概略構成を示す内部側面図である。
【００２３】
図３に示すように、読取部５は、光走査ユニット７及び撮像ユニット８を備えている。
【００２４】
光走査ユニット７は、第１光学系ユニット７１と、第２光学系ユニット７２とを備えている。第１光学系ユニット７１は、ＬＥＤ等の光源１０と、第１ミラー７１１とを備えている。光源１０は原稿の読取面、すなわち上方に向かって読取光を照射すべく、コンタクトガラス１６１に対向してその下方に配置されている。
【００２５】
第１ミラー７１１は、コンタクトガラス１６１に載置された原稿を光源１０が照射した読取光の画像読取面での反射光を受けて、水平方向に方向転換させる。第１ミラー７１１は、コンタクトガラス１６１の下方に配置されている。これら光源１０及び第１ミラー７１１は、後述のキャリッジ３４に含まれた支持部材３４Ａに取り付けられている。なお、第１ミラー７１１は、特許請求の範囲における入光部材の一例である。
【００２６】
第２光学系ユニット７２は、第２ミラー７２１と、第３ミラー７２２とを備えている。第２ミラー７２１は、第１光学系ユニット７１の第１ミラー７１１が反射させた反射光を受けて、さらに略垂直下方に方向転換させる。第３ミラー７２２は、第２ミラー７２１が反射させた反射光を、さらに略水平に方向転換させて、撮像ユニット８の方向に導く。これら第２ミラー７２１及び第３ミラー７２２は、上記キャリッジ３４に含まれた支持部材３４Ｂに取り付けられている。
【００２７】
なお、第１光学系ユニット７１及び第２光学系ユニット７２に設けられた光源１０及び上記各ミラーは、上記主走査方向にコンタクトガラス１６１と略同じ長さで延びる細長い形状とされている。
【００２８】
読取部５の内部には、図中の矢印方向に光走査ユニット７の移動を案内する図略の移動用のレールが設けられており、当該レールには、移動機構としてのキャリッジ３４が取り付けられている。これにより、第１光学系ユニット７１及び第２光学系ユニット７２を備えた光走査ユニット７は、キャリッジ３４の動作により、コンタクトガラス１６１に載置された原稿の読取面全体の画像情報を読み取るべくコンタクトガラス１６１表面と平行に、予め定められた原稿読取方向としての副走査方向（主走査方向に直交する方向）、すなわち、図中の矢印方向に往復移動可能とされている。
【００２９】
撮像ユニット８は、読取部５の内部下部に固定されている。撮像ユニット８は、結像レンズ８１と、例えばコンタクトイメージセンサー（ＣＩＳ（Contact Image Sensor））又はＣＣＤセンサーからなるイメージセンサー８２とを備えている。第２光学系ユニット７２の第３ミラー７２２によって反射された、原稿の読取面からの反射光は結像レンズ８１に入射する。結像レンズ８１は、光路の下流側に設けられたイメージセンサー８２の表面上に、当該反射光を結像させる。イメージセンサー８２は、結像した画像に含まれた複数の各画素の明るさを示す画素値を得て、その画素値を示す信号を生成して、後述の制御ユニットに出力する。
【００３０】
図１に戻って、操作部４７は、画像形成装置１が実行可能な各種動作及び処理について操作者から画像形成動作実行指示や原稿読取動作実行指示等の指示を受け付ける。操作部４７は、操作者への操作案内等を表示するＬＣＤ等の表示部４７３を備えている。表示部４７３はタッチパネルになっており、操作者は画面表示されるボタンやキーに触れて画像形成装置１を操作することができる。
【００３１】
図２に示すように、画像形成装置１は、制御ユニット１０、読取部５の読み取り動作で得られた原稿の画像データ等を一時的に記憶する画像メモリー３２、及びＨＤＤ（Hard Disk Drive）やＳＳＤ（Solid State Drive）等の大容量の記憶装置からなる記憶部９２を備えて構成されている。
【００３２】
制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、又はＭＰＵ（Micro-processing unit）等である。制御ユニット１０は、画像形成装置１の全体的な動作制御を司る制御部１００と、操作受付部１０１と、読取制御部１０２と、原稿サイズ取得部１０３と、第１の判別部１０４と、表示制御部１０５と、を備えている。
【００３３】
制御ユニット１０は、記憶部９２にインストールされている制御プログラムに従った上記プロセッサーによる動作により、制御部１００、操作受付部１０１、読取制御部１０２、原稿サイズ取得部１０３、第１の判別部１０４、及び表示制御部１０５として機能するものである。但し、制御部１００等は、制御ユニット１０による制御プログラムに従った上記プロセッサーによる動作によらず、それぞれハードウェア回路により構成することも可能である。
【００３４】
制御部１００は、原稿給送部６、読取部５、画像形成部１２０、画像メモリー３２、操作部４７、定着部１３、給紙部１４、操作部４７、及び記憶部９２等と接続され、これら各部の駆動制御を行う。また、制御部１００は、例えばコンタクトガラス１６１に載置された複数枚のカード（原稿）について、読取部５により読み取り得られた画像データが画像メモリー３２に記憶された場合、記憶された画像データに対して、既知のクロップ処理を行うことにより、当該画像データから複数枚の各カードの画像データに切り出して整理する。
【００３５】
操作受付部１０１は、ユーザーからの操作指示を受け付ける。
【００３６】
読取制御部１０２は、読取部５の駆動制御を司る。例えば、読取制御部１０２は、読取部５にコンタクトガラス１６１に載置された原稿を読み取らせる制御等を行う。
【００３７】
原稿サイズ取得部１０３は、上記イメージセンサー８２（図３）の検出結果を用いることにより、原稿のサイズを取得する。例えば、オープンスキャン処理では、原稿サイズ取得部１０３は、イメージセンサー８２から当該イメージセンサー８２に結像された画像に含まれた複数の各画素の明るさを示す画素値を取得し、取得した画素値に基づき、隣接する画素の画素値よりも高い画素値を有する画素を検出することにより、原稿の外周辺である四つの各エッジを検出し、当該検出した四つのエッジを基に当該原稿のサイズを検出して取得する。尚、原稿サイズ取得部１０３は、イメージセンサー８２に外乱光が入光した場合には、当該イメージセンサー８２の検出結果から、上記エッジを示す高い画素値を有する画素を検出することができないことがあり、原稿のエッジ、ひいては当該原稿のサイズを検出することが不可能になることがある。
【００３８】
第１の判別部１０４は、原稿給送部６が開状態のときに、コンタクトガラス１６１に原稿を載置していない状態でスキャンを行うプレスキャン動作を読取部５が行った場合に、当該コンタクトガラス１６１で原稿のサイズを原稿サイズ取得部１０３が取得可能かどうかを判別する。また、第１の判別部１０４は、原稿サイズ取得部１０３が取得不可能と判別した場合には、コンタクトガラス１６１における原稿のサイズの取得不可能な取得不可能領域を判別する。
【００３９】
上記プレスキャン動作は、ユーザーからの操作指示に従って、上記オープンスキャン処理が実行前に予め行われる動作であり、当該オープンスキャン処理の実行時に、コンタクトガラス１６１の上側に設置された蛍光灯等の照明装置（図示せず）からの光が外乱光としてイメージセンサー８２に入光することに起因して、原稿サイズ取得部１０３が原稿のサイズを取得することが不可能な上記取得不可能領域がコンタクトガラス１６１の全域内に存在するか否かを前もって判別するための動作である。また、プレスキャン動作では、第１の判別部１０４は、原稿給送部６を開状態とし、かつ、コンタクトガラス１６１に原稿を載置していない状態で光源１０を点灯させた状態における、イメージセンサー８２の検出結果を用いて、当該コンタクトガラス１６１で原稿のサイズを原稿サイズ取得部１０３が取得可能かどうかを判別する。
【００４０】
表示制御部１０５は、表示部４７３による表示動作を制御する機能を有する。また、表示制御部１０５は、操作受付部１０１がユーザーから読取部５でのスキャン処理の指示を受け付けると、原稿給送部６が開状態でコンタクトガラス１６１に載置された原稿の画像を読み取るオープンスキャン処理を実行するか否かの選択を促す表示を表示部４７３に行わせる。
【００４１】
読取制御部１０２は、操作受付部１０１が上記オープンスキャン処理の実行指示をユーザーから受け付けると、上記プレスキャン動作を読取部５に行わせる。
【００４２】
表示制御部１０５は、第１の判別部１０４がコンタクトガラス１６１で原稿のサイズを原稿サイズ取得部１０３が取得することができないと判別した場合に、ユーザーに対して外乱光に関する予め定められた対応動作の実行を促す表示を表示部４７３に行わせる。
【００４３】
上記対応動作は、画像形成装置１（つまり、画像読取装置）の位置を現在の位置から移動させること、又は画像形成装置１の上側の照明装置を消灯させることの少なくとも一方である。
【００４４】
第１の判別部１０４は、上記プレスキャン動作が行われると、イメージセンサー８２の検出結果から、コンタクトガラス１６１の全域に対応した全ての画素について、各画素の明るさを示す画素値を得る。また、第１の判別部１０４は、予め定められた第１の閾値以上の画素値を有する画素で構成される領域の大きさを検出する。また、第１の判別部１０４は、検出した上記領域の大きさが予め定められた第１の大きさ以上であることを検出した場合には、当該検出した領域を上記コンタクトガラス１６１における原稿のサイズの取得不可能な上記取得不可能領域と判別し、更にコンタクトガラス１６１で原稿のサイズを原稿サイズ取得部１０３が取得することができないと判別する。尚、第１の閾値の具体例は、例えば、画素の明るさが２５６階調で規定されている場合、当該第１の閾値は１５０である。また、第１の大きさは、例えば、コンタクトガラス１６１の面積の２％の大きさである。
【００４５】
表示制御部１０５は、第１の判別部１０４が上記検出した領域を上記取得不可能領域と判別した場合に、当該取得不可能領域を表示部４７３に表示させる。
【００４６】
表示制御部１０５は、第１の判別部１０４がコンタクトガラス１６１で原稿のサイズを原稿サイズ取得部１０３が取得することができないと判別した後に、再度の上記プレスキャン動作の実行を促す表示を表示部４７３に行わせる。
【００４７】
読取制御部１０２は、操作受付部１０１がユーザーから上記再度のプレスキャン動作の開始指示を受け付けると、当該再度のプレスキャン動作を読取部５に行わせる。
【００４８】
次に、図４を参照して、本実施形態の画像形成装置１の動作について具体的に説明する。図４は、上記第１の実施形態に係る画像形成装置での処理の流れを示すフローチャートである。なお、以下の説明では、読取部５での読み取り動作において、外乱光の影響を排除するための動作について主に説明する。
【００４９】
図４に示すように、制御部１００は、ユーザーにより、原稿のスキャン処理（読み取り動作）の実行を指示する要求を操作受付部１０１が受け付けたかどうかを判別する（Ｓ１）。例えば、制御部１００は、表示制御部１０５が、図５に示すように、ユーザーに処理動作の指示を促す表示を表示部４７３に行わせたときに、スキャン処理キー４７３Ａがユーザーに指定されたかどうかを検出することにより、原稿のスキャン処理の実行を指示する要求が行われたかどうかを判別する。制御部１００は、スキャン処理キー４７３Ａが指定されたことを操作受付部１０１が検出していなければ（Ｓ１でＮＯ）、Ｓ２には進まずに、画像形成装置１を待機状態とする。
【００５０】
一方、制御部１００は、ユーザーによりスキャン処理キー４７３Ａが指定され、操作受付部１０１により受け付けられたことを検出した場合（Ｓ１でＹＥＳ）、原稿のスキャン処理の実行が要求されたと判断する。そして、表示制御部１０５は、例えば、図６に示すように、上記オープンスキャン処理を実行するか否かの選択を促す表示を表示部４７３に行わせる（Ｓ２）。
【００５１】
続いて、制御部１００は、ユーザーからオープンスキャン処理の実行が要求されたかどうかを判別する（Ｓ３）。例えば、制御部１００は、図６に示した表示画面において、ユーザーによりクローズドスキャン処理実行キー４７３Ｃが指定され、操作受付部１０１により受け付けられたことを検出した場合（Ｓ３でＮＯ）、オープンスキャン処理の実行が要求されずに、クローズドスキャン処理の実行が要求されたと判断する。そして、読取制御部１０２は、クローズドスキャン処理を読取部５に実行させる（Ｓ４）。
【００５２】
一方、制御部１００は、図６に示した表示画面において、ユーザーによりオープンスキャン処理実行キー４７３Ｂが指定され、操作受付部１０１により受け付けられたことを検出した場合（Ｓ３でＹＥＳ）、オープンスキャン処理の実行が要求されたと判断する。続いて、表示制御部１０５は、例えば、図７に示すように、ユーザーに対して、外乱光の影響を受けることなく、コンタクトガラス１６１の全域でオープンスキャン処理を正常に行うことができるかどうかを判別するために、上記プレスキャン動作を読取部５に行わせることを確認する旨の表示を表示部４７３に行わせる（Ｓ５）。
【００５３】
続いて、制御部１００は、ユーザーにより、プレスキャン動作の開始を指示する要求を操作受付部１０１が受け付けたかどうかを判別する（Ｓ６）。例えば、制御部１００は、図７の表示画面において、ユーザーによりプレスキャン動作開始キー４７３Ｄが指定されたかどうかを検出することにより、プレスキャン動作の実行を指示する要求を操作受付部１０１が受け付けたかどうかを判別する。制御部１００は、プレスキャン動作開始キー４７３Ｄが指定されたことを操作受付部１０１が検出していなければ（Ｓ６でＮＯ）、Ｓ７には進まずに、画像形成装置１を待機状態とする。
【００５４】
一方、制御部１００は、ユーザーによりプレスキャン動作開始キー４７３Ｄが指定され、操作受付部１０１により受け付けられたことを検出した場合（Ｓ６でＹＥＳ）、プレスキャン動作の開始が要求されたと判断する。そして、読取制御部１０２は、プレスキャン動作を読取部５に行わせる。
【００５５】
そして、第１の判別部１０４は、プレスキャン動作が行われたときでのイメージセンサー８２の検出結果から、コンタクトガラス１６１の全域において、上記取得不可能領域が存在するかどうかを検出することにより、原稿のサイズを原稿サイズ取得部１０３が取得することができるかどうかを判別する（Ｓ７）。読取制御部１０２は、コンタクトガラス１６１の全域において、原稿のサイズを原稿サイズ取得部１０３が取得することができると第１の判別部１０４が判別した場合（Ｓ７でＹＥＳ）、オープンスキャン処理を読取部５に実行させる（Ｓ８）。その後、制御部１００は、例えば、オートクロッピングを行う。つまり、制御部１００は、上記Ｓ８でのオープンスキャン処理において、例えばコンタクトガラス１６１に載置された複数枚のカード（原稿）について、読取部５が読み取り動作を行うと、当該複数枚のカードを含んだ画像データが画像メモリー３２に記憶される。また、このとき、コンタクトガラス１６１の全域において、原稿のサイズを原稿サイズ取得部１０３が取得することができるので、制御部１００は、画像メモリー１００に記憶された画像データに対して、上記オートクロッピングを行うことにより、当該画像データから複数枚の各カードの画像データに切り出して整理する。
【００５６】
一方、表示制御部１０５は、コンタクトガラス１６１の全域において、上記取得不可能領域が存在すると第１の判別部１０４が判別した場合（Ｓ７でＮＯ）、例えば、図８に斜線部にて示すように、第１の判別部１０４が判別した取得不可能領域ＩｍＡを表示部４７３に表示させる（Ｓ９）。
【００５７】
続いて、表示制御部１０５は、例えば、図９に示すように、ユーザーに対して外乱光に関する予め定められた上記対応動作の実行を促す表示を表示部４７３に行わせる（Ｓ１０）。その後、処理は上記Ｓ５に戻って処理をやり直す。すなわち、表示制御部１０５は、図７の表示画面に示したように、外乱光の影響を受けることなく、コンタクトガラス１６１の全域でオープンスキャン処理を正常に行うことができるかどうかを判別するために、再度の上記プレスキャン動作を読取部５に行わせることを確認する旨の表示を表示部４７３に行わせる（Ｓ５）。そして、制御部１００は、図７の表示画面において、ユーザーによりプレスキャン動作開始キー４７３Ｄが指定され、操作受付部１０１により受け付けられたことを検出した場合（Ｓ６でＹＥＳ）、プレスキャン動作の開始が要求されたと判断して、読取制御部１０２は、プレスキャン動作を読取部５に行わせる。
【００５８】
以上のように本実施形態では、表示制御部１０５は操作受付部１０１がユーザーから読取部５でのスキャン処理の指示を受け付けると、原稿給送部（原稿押さえカバー）６が開状態でコンタクトガラス（原稿台）１６１に載置された原稿の画像を読み取るオープンスキャン処理を実行するか否かの選択を促す表示を表示部４７３に行わせる。読取制御部１０２は、操作受付部１０１がオープンスキャン処理の実行指示をユーザーから受け付けると、原稿給送部６が開状態のときに、コンタクトガラス（原稿台）１６１に原稿を載置していない状態でスキャンを行うプレスキャン動作を読取部５に行わせる。第１の判別部１０４は、上記プレスキャン動作を読取部５が行った場合に、当該コンタクトガラス１６１で原稿のサイズを原稿サイズ取得部１０３が取得可能かどうかを判別する。表示制御部１０５は、第１の判別部１０４がコンタクトガラス１６１で原稿のサイズを原稿サイズ取得部１０３が取得することができないと判別した場合に、ユーザーに対して外乱光に関する予め定められた対応動作の実行を促す表示を表示部４７３に行わせる。これにより、本実施形態では、上記従来例と異なり、ユーザーは上記オープンスキャン処理を実行した場合での外乱光の影響に起因する上記取得不可能領域ＩｍＡを当該ユーザー自ら解消することができ、コンタクトガラス１６１の全域でオープンスキャン処理を適切に行わせることができる。すなわち、本実施形態では、上記従来例と異なり、原稿押さえカバーを開状態にして原稿を読み取る場合に、外乱光の影響を排除して、原稿サイズ検知を可能とし、オートクロッピングを効率よく行うことを可能にすることができる。
【００５９】
また、本実施形態では、第１の判別部１０４は、プレスキャン動作が行われると、イメージセンサー８２の検出結果から、コンタクトガラス１６１の全域に対応した全ての画素について、各画素の明るさを示す画素値を得る。また、第１の判別部１０４は、予め定められた第１の閾値以上の画素値を有する画素で構成される領域の大きさを検出する。更に、第１の判別部１０４は、検出した領域の大きさが予め定められた第１の大きさ以上であることを検出した場合には、当該検出した領域をコンタクトガラス１６１における原稿のサイズの取得不可能な取得不可能領域ＩｍＡと判別し、コンタクトガラス１６１で原稿のサイズを原稿サイズ取得部１０３が取得することができないと判別する。このように、第１の判別部１０４は、上記画素値に基づいて、コンタクトガラス１６１に上記取得不可能領域ＩｍＡが存在するか否かを定量的に判別しているので、当該取得不可能領域ＩｍＡの存在の有無を精度よく判別することができる。
【００６０】
また、本実施形態では、表示制御部１０５は第１の判別部１０４が検出した領域を上記取得不可能領域ＩｍＡと判別した場合に、当該取得不可能領域ＩｍＡを表示部４７３に表示させる。これにより、本実施形態では、ユーザーは取得不可能領域ＩｍＡを視認することができ、上記対応動作を適切に行うことが可能になって、オープンスキャン処理を早期に実行させることができる。
【００６１】
また、本実施形態では、表示制御部１０５は第１の判別部１０４がコンタクトガラス１６１で原稿のサイズを原稿サイズ取得部１０３が取得することができないと判別した後に、再度のプレスキャン動作の実行を促す表示を表示部４７３に行わせる。また、読取制御部１０２は、操作受付部１０１がユーザーから再度のプレスキャン動作の開始指示を受け付けると、当該再度のプレスキャン動作を読取部５に行わせる。これにより、本実施形態では、ユーザーは上記取得不可能領域ＩｍＡを解消させることができ、オープンスキャン処理を確実に実行させることが可能になる。
【００６２】
また、本実施形態では、上記対応動作は画像形成装置１の位置を現在の位置から移動させること、又は画像形成装置１の上側の照明装置を消灯させることの少なくとも一方である。このような対応動作をユーザーが行うことにより、本実施形態では、外乱光の影響を排除して、オープンスキャン処理を適切に実行させることが可能になる。
【００６３】
＜第２の実施形態＞
次に、図１０を参照して、第２の実施形態に係る画像形成装置１について具体的に説明する。図１０は、本発明の第２の実施形態に係る画像形成装置の要部構成を示す機能ブロック図である。尚、上記第１の実施形態と同様の構成については説明を省略する。
【００６４】
図１０に示すように、本実施形態の画像形成装置１では、制御ユニット１０は第２の判別部１０６を備えている。この第２の判別部１０６は、原稿給送部６が開状態のときに、第１の判別部１０４によって判別された取得不可能領域ＩｍＡでスキャンを行うリアルタイムスキャン動作を読取部５が行った場合に、当該取得不可能領域ＩｍＡで原稿のサイズを原稿サイズ取得部１０３が取得可能かどうかを判別する。
【００６５】
上記リアルタイムスキャン動作は、ユーザーが上記対応動作を行った後に、ユーザーからの操作指示に従って、当該対応動作によって外乱光の影響が排除されて、第１の判別部１０４が判別した取得不可能領域ＩｍＡ（図８）で原稿のサイズを取得可能になったかどうかをリアルタイムに判別するための動作である。また、リアルタイムスキャン動作では、第２の判別部１０６は、原稿給送部６を開状態とし、かつ、コンタクトガラス１６１に原稿を載置していない状態で光源１０を点灯させた状態における、イメージセンサー８２の検出結果を用いて、取得不可能領域ＩｍＡで原稿のサイズを原稿サイズ取得部１０３が取得可能かどうかを判別する。
【００６６】
表示制御部１０５は、第１の判別部１０４が上記取得不可能領域ＩｍＡを判別した場合に、ユーザーに対して外乱光に関する予め定められた対応動作の実行を促す表示と、当該取得不可能領域ＩｍＡに対する上記リアルタイムスキャン動作を実行するか否かの選択を促す表示とを表示部４７３に行わせる。
【００６７】
読取制御部１０２は、操作受付部１０１がユーザーから上記リアルタイムスキャン動作の開始指示を受け付けると、第１の判別部１０４が判別した取得不可能領域ＩｍＡに第１ミラー７１１（図３）を移動させて、当該取得不可能領域ＩｍＡに対する上記リアルタイムスキャン動作を読取部５に行わせる。また、読取制御部１０２は、第１の判別部１０４が取得不可能領域ＩｍＡを判別した場合に、当該取得不可能領域ＩｍＡに含まれた画素のうち、最も高い画素値を有する画素の位置に第１ミラー７１１を移動させて、上記リアルタイムスキャン動作を読取部５に行わせる。
【００６８】
表示制御部１０５は、第２の判別部１０６が取得不可能領域ＩｍＡで原稿のサイズを原稿サイズ取得部１０３が取得することができないと判別した場合に、ユーザーに対して新たな上記対応動作の実行を促す表示を表示部４７３に行わせる。
【００６９】
表示制御部１０５は、操作受付部１０１がユーザーからリアルタイムスキャン動作を行わない旨の指示を受け付けると、再度のプレスキャン動作の実行を促す表示を表示部４７３に行わせる。また、読取制御部１０２は、操作受付部１０１がユーザーから再度のプレスキャン動作の開始指示を受け付けると、当該再度のプレスキャン動作を読取部５に行わせる。
【００７０】
表示制御部１０５は、ユーザーに対して上記対応動作の実行を促す表示を表示部４７３に行わせる際に、取得不可能領域ＩｍＡに対する新たなリアルタイムスキャン動作の実行を促す表示を表示部４７３に行わせる。また、読取制御部１０２は、操作受付部１０１がユーザーから新たなリアルタイムスキャン動作の開始指示を受け付けると、取得不可能領域ＩｍＡに対する新たなリアルタイムスキャン動作を読取部５に行わせる。
【００７１】
第２の判別部１０６は、リアルタイムスキャン動作が行われると、イメージセンサー８２の検出結果から、取得不可能領域ＩｍＡに対応した全ての画素について、各画素の明るさを示す画素値を得る。また、第２の判別部１０６は、予め定められた第２の閾値以上の画素値を有する画素で構成される領域の大きさを検出する。また、第２の判別部１０６は、検出した当該領域の大きさが予め定められた第２の大きさ以上であることを検出した場合には、当該取得不可能領域ＩｍＡで原稿のサイズを原稿サイズ取得部１０３が取得することができないと判別する。尚、第２の閾値の具体例は、例えば、画素の明るさが２５６階調で規定されている場合、当該第２の閾値は１５０である。また、第２の大きさは、例えば、コンタクトガラス１６１の面積の２％の大きさである。
【００７２】
表示制御部１０５は、第２の判別部１０６が取得不可能領域ＩｍＡで原稿のサイズを原稿サイズ取得部１０３が取得することができると判別した場合に、ユーザーに対して新たな上記プレスキャン動作の実行を促す表示を表示部４７３に行わせる。また、読取制御部１０２は、操作受付部１０１がユーザーから新たなプレスキャン動作の開始指示を受け付けると、当該新たなプレスキャン動作を読取部５に行わせる。
【００７３】
次に、図１１を参照して、本実施形態の画像形成装置１の動作について具体的に説明する。図１１は、上記第２の実施形態に係る画像形成装置での処理の流れを示すフローチャートである。
【００７４】
図１１に示すように、表示制御部１０５は、第１の判別部１０４が取得不可能領域ＩｍＡを判別した場合に（Ｓ７でＮＯ）、ユーザーに対して外乱光に関する予め定められた対応動作の実行を促す表示と、当該取得不可能領域ＩｍＡに対する上記リアルタイムスキャン動作を実行するか否かの選択を促す表示とを表示部４７３に行わせる（Ｓ１１）。例えば、表示制御部１０５は、図１２に示すように、ユーザーに対して、リアルタイムスキャン動作、又は再度のプレスキャン動作の選択を促す表示と、上記対応動作の実行を促す表示とを表示部４７３に行わせる。
【００７５】
そして、制御部１００は、図１２の表示画面において、ユーザーによりリアルタイムスキャン動作キー４７３Ｅが指定されたかどうかを検出することにより、ユーザーからリアルタイムスキャン動作の指示が要求されたかどうかを判別する（Ｓ１２）。制御部１００は、図１２の表示画面において、ユーザーによりプレスキャン動作キー４７３Ｆが指定され、操作受付部１０１により受け付けられたことを検出した場合（Ｓ１２でＮＯ）、再度のプレスキャン動作を行うことが要求されたと判断し、処理は上記Ｓ５に戻って処理をやり直す。
【００７６】
一方、制御部１００は、図１２の表示画面において、ユーザーによりリアルタイムスキャン動作キー４７３Ｅが指定され、操作受付部１０１により受け付けられたことを検出した場合（Ｓ１２でＹＥＳ）、リアルタイムスキャン動作を行うことが要求されたと判断する。そして、表示制御部１０５は、例えば、図１３に示すように、上記取得不可能領域ＩｍＡに対するリアルタイムスキャン動作を読取部５に行わせることを確認する旨の表示を表示部４７３に行わせる（Ｓ１３）。
【００７７】
続いて、制御部１００は、ユーザーにより、リアルタイムスキャン動作の開始を指示する要求を操作受付部１０１が受け付けたかどうかを判別する（Ｓ１４）。例えば、制御部１００は、図１３の表示画面において、ユーザーによりリアルタイムスキャン動作開始キー４７３Ｇが指定されたかどうかを検出することにより、リアルタイムスキャン動作の実行を指示する要求を操作受付部１０１が受け付けたかどうかを判別する。制御部１００は、リアルタイムスキャン動作開始キー４７３Ｇが指定されたことを操作受付部１０１が検出していなければ（Ｓ１４でＮＯ）、Ｓ１５には進まずに、画像形成装置１を待機状態とする。
【００７８】
一方、制御部１００は、ユーザーによりリアルタイムスキャン動作開始キー４７３Ｇが指定され、操作受付部１０１により受け付けられたことを検出した場合（Ｓ１４でＹＥＳ）、リアルタイムスキャン動作の開始が要求されたと判断する。そして、読取制御部１０２は、リアルタイムスキャン動作を読取部５に行わせる。
【００７９】
そして、第２の判別部１０６は、リアルタイムスキャン動作が行われたときでのイメージセンサー８２の検出結果から、取得不可能領域ＩｍＡにおいて、原稿のサイズを原稿サイズ取得部１０３が取得できない領域が存在するかどうかを検出することにより、当該取得不可能領域ＩｍＡで原稿のサイズを原稿サイズ取得部１０３が現時点で取得可能かどうかを判別する（Ｓ１５）。その後、表示制御部１０５は、取得不可能領域ＩｍＡで原稿のサイズを原稿サイズ取得部１０３が現時点で取得することができないと第２の判別部１０６が判別した場合に（Ｓ１５でＮＯ）、ユーザーに対して上記対応動作の実行を促す表示を表示部４７３に行わせる。つまり、処理は、上記Ｓ１３に戻ってやり直されることとなり、表示制御部１０５は、図１３の表示画面を表示部４７３に表示させて、新たな上記対応動作の実行をユーザーに促す。すなわち、制御部１００は、上記Ｓ１４で開始指示されたリアルタイムスキャン動作が行われる前に、ユーザーが行った対応動作（例えば、画像形成装置１の移動させる動作）では、取得不可能領域ＩｍＡが解消されていないことを第２の判別部１０６が判別した場合、オープンスキャン処理を適切に実行するためには、新たな対応動作（例えば、上記照明装置を消灯させる動作）が行われる必要があると判断する。そして、表示制御部１０５は、上記のように、図１３の表示画面を表示部４７３に表示させる。
【００８０】
一方、表示制御部１０５は、取得不可能領域ＩｍＡで原稿のサイズを原稿サイズ取得部１０３が取得することができると第２の判別部１０６が判別した場合に（Ｓ１５でＹＥＳ）、ユーザーに対して新たなプレスキャン動作の実行を促す表示を表示部４７３に行わせる（Ｓ１６）。例えば、表示制御部１０５は、図７の表示画面を表示部４７３に表示させることにより、新たなプレスキャン動作の実行をユーザーに促す。そして、制御部１００は、図７の表示画面において、ユーザーによりプレスキャン動作開始キー４７３Ｄが指定され、操作受付部１０１により受け付けられたことを検出した場合（Ｓ６でＹＥＳ）、新たなプレスキャン動作の開始が要求されたと判断する。その後、読取制御部１０２は、新たなプレスキャン動作を読取部５に行わせる。これにより、リアルタイムスキャン動作によって、取得不可能領域ＩｍＡにおいて、ユーザーによる対応動作で原稿のサイズを取得することができることが判別された後、コンタクトガラス１６１の全域において、当該対応動作に起因して新たな取得不可能領域が生じているかについて、新たなプレスキャン動作を行うことによって、判別される。
【００８１】
以上のように本実施形態では、表示制御部１０５は第１の判別部１０４が取得不可能領域ＩｍＡを判別した場合に、当該取得不可能領域ＩｍＡに対するリアルタイムスキャン動作を実行するか否かの選択を促す表示を表示部４７３に行わせる。また、読取制御部１０２は、操作受付部１０１がユーザーからリアルタイムスキャン動作の開始指示を受け付けると、第１の判別部１０４が判別した取得不可能領域ＩｍＡに第１ミラー７１１を移動させて、当該取得不可能領域ＩｍＡに対するリアルタイムスキャン動作を読取部５に行わせる。また、第２の判別部１０６は、リアルタイムスキャン動作を取得不可能領域ＩｍＡで読取部５が行った場合に、当該取得不可能領域ＩｍＡで原稿のサイズを原稿サイズ取得部１０３が取得可能かどうかを判別する。また、表示制御部１０５は、第２の判別部１０６が取得不可能領域ＩｍＡで原稿のサイズを原稿サイズ取得部１０３が取得することができないと判別した場合に、ユーザーに対して対応動作の実行を促す表示を表示部４７３に行わせる。これにより、本実施形態では、第１の実施形態のものと同様に、ユーザーは上記オープンスキャン処理を実行した場合での外乱光の影響に起因する上記取得不可能領域ＩｍＡを当該ユーザー自ら解消することができ、原稿押さえカバーを開状態にして原稿を読み取る場合に、外乱光の影響を排除して、原稿サイズ検知を可能とし、オートクロッピングを効率よく行うことを可能にすることができる。また、本実施形態では、ユーザーによる対応動作が行われた後にリアルタイムスキャン動作が行われるので、当該対応動作を行うことによって取得不可能領域ＩｍＡが解消されたかどうかを即座に判別することができ、第１の実施形態のものより、適切なオープンスキャン処理を早期に実行させることが可能になる。
【００８２】
また、本実施形態では、表示制御部１０５は、第１の判別部１０４が取得不可能領域ＩｍＡを判別した場合に、ユーザーに対して上記対応動作の実行を促す表示を表示部４７３に行わせる。このため、本実施形態では、ユーザーは、取得不可能領域ＩｍＡが判別された時点で対応動作を行うことができ、当該取得不可能領域ＩｍＡを早期に解消することが可能になる。
【００８３】
また、本実施形態では、読取制御部１０２は第１の判別部１０４が取得不可能領域ＩｍＡを判別した場合に、当該取得不可能領域ＩｍＡに含まれた画素のうち、最も高い画素値を有する画素の位置に第１ミラー７１１を移動させて、上記リアルタイムスキャン動作を読取部５に行わせる。このため、本実施形態では、外乱光の影響が最も大きい箇所でリアルタイムスキャン動作を行わせることができ、当該リアルタイムスキャン動作の判別精度を向上させて、原稿のサイズを取得することができない領域を高精度に判別することができる。
【００８４】
また、本実施形態では、表示制御部１０５は操作受付部１０１がユーザーからリアルタイムスキャン動作を行わない旨の指示を受け付けると、再度のプレスキャン動作の実行を促す表示を表示部４７３に行わせる。また、読取制御部１０２は、操作受付部１０１がユーザーから再度のプレスキャン動作の開始指示を受け付けると、当該再度のプレスキャン動作を読取部５に行わせる。これにより、本実施形態では、ユーザーは上記取得不可能領域ＩｍＡを確実に解消することができる。
【００８５】
また、本実施形態では、表示制御部１０５はユーザーに対して上記対応動作の実行を促す表示を表示部４７３に行わせる際に、取得不可能領域ＩｍＡに対する新たなリアルタイムスキャン動作の実行を促す表示を表示部４７３に行わせる。また、読取制御部１０２は、操作受付部１０１がユーザーから新たなリアルタイムスキャン動作の開始指示を受け付けると、取得不可能領域ＩｍＡに対する新たなリアルタイムスキャン動作を読取部５に行わせる。これにより、本実施形態では、ユーザーは上記取得不可能領域ＩｍＡを確実に、かつ、早期に解消することが可能になる。
【００８６】
また、本実施形態では、第２の判別部１０６はリアルタイムスキャン動作が行われると、イメージセンサー８２の検出結果から、取得不可能領域ＩｍＡに対応した全ての画素について、各画素の明るさを示す画素値を得る。また、第２の判別部１０６は、予め定められた第２の閾値以上の画素値を有する画素で構成される領域の大きさを検出する。また、第２の判別部１０６は、検出した当該領域の大きさが予め定められた第２の大きさ以上であることを検出した場合には、当該取得不可能領域ＩｍＡで原稿のサイズを原稿サイズ取得部１０３が取得することができないと判別する。このように、第２の判別部１０６は、上記画素値に基づいて、取得不可能領域ＩｍＡにおいて、原稿のサイズを原稿サイズ取得部１０３が取得することができるか否かを定量的に判別しているので、当該判別を精度よく行うことができる。
【００８７】
また、本実施形態では、表示制御部１０５は第２の判別部１０６が取得不可能領域ＩｍＡで原稿のサイズを原稿サイズ取得部１０３が取得することができると判別した場合に、ユーザーに対して新たな上記プレスキャン動作の実行を促す表示を表示部４７３に行わせる。また、読取制御部１０２は、操作受付部１０１がユーザーから新たなプレスキャン動作の開始指示を受け付けると、当該新たなプレスキャン動作を読取部５に行わせる。これにより、本実施形態では、リアルタイムスキャン動作によって、取得不可能領域ＩｍＡにおいて、ユーザーによる対応動作で原稿のサイズを取得することができることが判別された後、コンタクトガラス１６１の全域において、当該対応動作に起因して新たな取得不可能領域が生じているかについて、新たなプレスキャン動作を行うことによって判別することができ、原稿押さえカバーを開状態にして原稿を読み取る場合に、外乱光の影響を排除して、原稿サイズ検知を可能とし、オートクロッピングを効率よく行うことを可能にすることができる。
【００８８】
なお、上記実施形態において、図１乃至図１３を用いて上記実施形態により示した構成及び処理は、本発明の一実施形態に過ぎず、本発明を当該構成及び処理に限定する趣旨ではない。
【符号の説明】
【００８９】
１          画像形成装置
５          読取部
６          原稿給送部（原稿押さえカバー）
３４        キャリッジ（移動機構）
８２        イメージセンサー
１０１      操作受付部
１０２      読取制御部
１０３      原稿サイズ取得部
１０４      第１の判別部
１０５      表示制御部
１０６      第２の判別部
１２０      画像形成部
４７３      表示部
７１１      第１ミラー（入光部材）
【図１】
2019029854.tif 000003
【図２】
2019029854.tif 000004
【図３】
2019029854.tif 000005
【図４】
2019029854.tif 000006
【図５】
2019029854.tif 000007
【図６】
2019029854.tif 000008
【図７】
2019029854.tif 000009
【図８】
2019029854.tif 000010
【図９】
2019029854.tif 000011
【図１０】
2019029854.tif 000012
【図１１】
2019029854.tif 000013
【図１２】
2019029854.tif 000014
【図１３】
2019029854.tif 000015